(57)【要約】      （修正有）【課題】水封トラップの水が、汚水排水設備管内に吸引されることがなく、水封トラップの機能が充たされ、汚水排水設備管内からの悪臭、下水ガス、空気感染源が、室内、居住空間に侵入することがない空気感染防止ソケットを得る。【解決手段】汚水排水設備管に空気取入口を設け、空気取入口は、汚水排水設備管内の気圧が外部空間より低くなった場合に外部空気を汚水排水設備管内に取入れ水封トラップの保護し、同等気圧の場合は、開閉弁６がバネ８の作用により居住空間内と汚水排水設備管内との空気の流通を遮断する空気感染防止ソケット。【選択図】図３
2004332516.tif 000002
【特許請求の範囲】
【請求項１】
汚水排水設備管に空気取入口を設け、空気取入口は、汚水排水設備管内の気圧が外部空間より低くなった場合に外部空気を汚水排水設備管内に取入れ水封トラップの保護をし、同等気圧の場合は、開閉弁がバネの作用により居住空間内と汚水排水設備管内との空気の流通を遮断して、居住空間の衛生環境を維持する事ができるバネを有する開閉弁を持つ空気感染防止ソケット。
【請求項２】
バネを有する開閉弁を化学繊維等にて湿気、ゴミ、虫から保護する空気感染防止ソケット。
【請求項３】
汚水排水設備管側に脱臭抗菌効果室を設けて保護する場合もある空気感染防止ソケット。
【請求項４】
ソケット式の為、取付け箇所、取替え、メンテナンスが容易な空気感染防止ソケット。
【発明の詳細な説明】
【０００１】
【発明の属する技術分野】
本発明は、建築物における汚水排水処理に係り、多層建築構造物においては、数多くの衛生設備器具があり、トイレ排水及び各衛生設備における水封トラップの機能を侵さないよう、円滑なる汚水排水処理と共に汚水排水設備管内からの臭気の防止に関するものである。
【０００２】
【従来の技術】
汚水排水設備管には、トイレ、浴室、流し台、洗面器など数多くの衛生器具が接続されている。各衛生器具の排水管は、トイレの汚水排水と浴室、洗面器、流し台などから排出される雑排水と２系統により処理されているのが一般的である。多層建築構造物においては、各室を結ぶ横配管が各階を結ぶ縦配管に接続されて地下に埋設されている本管へと処理されて行く。各配管内からの、臭気、下水ガス、空気感染源などが居住空間内に侵入しないよう水封トラップにて遮断している。
【０００３】
排水量によっては、汚水排水設備管内において気圧変動が生じ排出される上流側に負圧が発生し、負圧は正圧に戻そうと水封トラップの水を管内に吸引し正圧に戻してしまう。これらの作用により水封トラップは空洞状態におちいり、水封機能が侵され、居住空間の衛生環境が維持できなくなる。
【０００４】
気圧変動による負圧対策として、通気管を設け排水設備管内の気圧変動を緩和する対策が施されている。また弁を設けている場合は、弁の重力作用により負圧が生じた時に弁が開き大気中空気を排水設備管内に取入れ、円滑な排水処理を目的としているものもある。
【０００５】
【発明が解決しようとする課題】
汚水排水設備管内における気圧変動の負圧対策として、通気管を設ける場合もあるが、通気管は負圧を解消できるが、汚水排水設備管内の臭気、下水ガス、空気感染源が大気中に侵入し居住空間の衛生環境維持に問題があり、弁の重力作用によって、負圧対策を設けられている場合もあるが、弁における負圧対策は、正圧時は自らの重力により正位置にて、汚水排水設備管内と大気中との空気の流通を遮断しているが、負圧発生時に弁が開き大気中空気を管内に取入れ、正圧に戻ると、弁も自らの重力により正位置に戻るものであるが、汚水排水設備管内は湿気、ゴミが多く弁に湿気、ゴミが付着し、正位置に戻らなかったり、大気中空気を取入れる際もゴミ、虫等が弁に付着し正位置に戻らない場合、慢性的に居住空間の衛生環境を脅かすことになる。弁が自らの重力により、汚水排水設備管と大気中との空気の流通を遮断している為、取付け箇所が決定されてしまう事がある。又、弁が支障を起こしていても、修理、交換に問題があった。本発明は、上記課題を解決するためのもので、本発明の目的は、汚水排水設備管内の気圧変動対策であり、負圧が生じれば、速やかに大気中空気を汚水排水設備管内に取入れ水封トラップの機能を脅かすことなく円滑な汚水排水処理と、正圧時には汚水排水設備管内からの臭気、下水ガス、空気感染源が大気中に洩れないよう遮断し居住空間の衛生環境を維持する空気感染防止ソケットを提供するものである。
【０００６】
【問題を解決するための手段】
上記問題を解決するために汚水排水設備管に空気取入れ口を設ける。空気取入れ口は、汚水排水設備管内と大気中とを遮断するため、バネを有する開閉弁を設けた。開閉弁はバネ有している為、正圧時はバネの作用により閉じているので、汚水排水設備管に空気取入れ口として取付ける箇所が自由に設定できようになった。取付ける箇所が選定できる事により、メンテナンスが容易になった。バネを有する開閉弁は、常に最良の状態を維持できるよう化学繊維、脱臭剤、抗菌剤等にて、保護されている。
【０００７】
【発明の実施の形態】
図１は、本発明の構造図であり（１）のソケットにより、汚水排水設備管に取付け、ソケットの為、取り外し交換が容易にできるのでメンテナンスが簡単である。（３）、（１０）は、化学繊維等により湿気、ゴミ、虫等を遮断し開閉弁（６）とバネ（８）を保護する役目を持つ。（４）は、脱臭、抗菌作用剤を入れ、汚水排水設備管内からの悪臭、空気感染源が大気中に侵入することを防ぐ役目を果たす。開閉弁（６）は、汚水排水設備管内に負圧が発生した時に大気中空気を管内に取入れ、正圧時には、汚水排水設備管内と、大気中とを完全に遮断し、居住空間の衛生環境を維持する役目を果たす。開閉弁にバネ（８）を取付け、正圧時はバネの作用によって開閉弁を正位置に保つことにより、本発明品の取付け位置、向きを自由に設定する事が可能になった。
【０００８】
図２は本発明品の正圧時の構造であり、開閉弁（６）はバネ（８）の作用により、完全に閉じている。オーリング（５）を設けることにより。汚水排水設備管内の臭気等が居住空間内に侵入する事がない。
【０００９】
図３は、汚水排水設備管内に気圧変動と共に負圧が発生した場合大気中空気を管内に取入れている状況である。負圧により開閉弁（６）が開き大気中空気を管内に取入れ、開閉弁（６）が他方に開き過ぎないようストッパー（９）を取付けた。
【００１０】
図４は、図３の断面図であり、大気中空気取入れる際、口径を最大限に生かすようにしたものである。
【００１１】
図５は、現在使用されている水封トラップの構造である。
【００１２】
図６は、本発明品の取付け例である。
【００１３】
【発明の効果】
本発明は、上記説明したように構成されているので、以下に記載されるような効果が得られる。
【００１４】
汚水排水設備管内の気圧変動により起因する負圧発生を防ぐので円滑なる汚水排水処理ができる。
【００１５】
水封トラップの水が、汚水排水設備管内に吸引されることがないので、水封トラップの機能が充たされるため、汚水排水設備管内からの悪臭、下水ガス、空気感染源が、室内、居住空間に侵入することがなく、快適な室内、居住空間を保つことができる。
【図面の簡単な説明】
【図１】本発明品の構造図。
【図２】バネを有する開閉弁の正圧時における拡大図。
【図３】バネを有する開閉弁が負圧により作動した状態の拡大図。
【図４】バネを有する開閉弁が負圧により作動した状態の正面図拡大図。
【図５】衛生設備器具トラップの状況
【図６】本発明品の取付け参考例である。
【符号の説明】
１  ソケット
２  オーリング
３  遮断槽（科学繊維等）
４  遮断槽（脱臭、抗菌剤）
５  オーリング
６  開閉弁
７  開口部
８  バネ
９  ストッパー
１０  遮断槽（化学繊維等）
１１  開閉弁軸
１２  大気中空気取入れ口
１３  水封トラップ
１４  汚水排水設備管
１５  衛生設備器具（水洗トイレ）
１６  衛生設備器具（洗面器具、流し台等）
１６，１７，１８、１９，２０，２１，２２，２３、２４取付け例
２５  汚水排水縦配管
２６  下水本管
【図１】
2004332516.tif 000003
【図２】
2004332516.tif 000004
【図３】
2004332516.tif 000005
【図４】
2004332516.tif 000006
【図５】
2004332516.tif 000007
【図６】
2004332516.tif 000008